(57)【要約】【課題】プログラムダウンロードモードへ移行したことを検出する検出回路を不要にすることで、装置の小型化・軽量化を図り衛星通信アダプタ装置を提供する。【解決手段】ＤＴＥインターフェース部２１はパソコン１とのＲＳ−２３２Ｃインターフェースを行う。回線インターフェース部２３は衛星電話装置３とデータ送受信を行うが、プログラムダウンロードモードへ移行するために衛星電話装置３の替りに、折り返しコネクタ２７と接続する。ＲＯＭ２４はプログラムの記憶と読出しを行う。ＲＡＭ２５はＲＯＭ２４のプログラムを一時退避させる。制御部２２はＲＯＭ２４、ＲＡＭ２５並びに全体を制御する。衛星通信アダプタ装置２はＤＴＥインターフェース部２１、回線インターフェース部２３、ＲＯＭ２４、ＲＡＭ２５及び制御部２２を有する。【選択図】    図３
2005032131.tif 000002
【特許請求の範囲】
【請求項１】
パソコンと衛星電話装置を使用してデータ通信を行う衛星通信アダプタ装置であって、前記パソコンから前記衛星通信アダプタ装置のプログラムのバージョンアップ及びダウンロードを行う場合、前記衛星電話装置を接続する側のコネクタの２本の線を折り返すことで、プログラムダウンロードモードへ移行することを特徴とする衛星通信アダプタ装置。
【請求項２】
データ通信を行うパソコンと、このパソコンと接続し前記パソコンから制御されることにより発着信の起動及びデータ送受信を行う衛星通信アダプタ装置と、この衛星通信アダプタ装置と接続し衛星とのデータ通信を行う衛星電話装置とから成り、
前記パソコンから前記衛星通信アダプタ装置のプログラムのバージョンアップ及びダウンロードを行う場合、前記衛星電話装置を接続する側に折り返しコネクタを接続し、この折り返しコネクタの２本の線を折り返すことでプログラムダウンロードモードへ移行することを備えたことを特徴とする衛星通信アダプタ装置。
【請求項３】
前記パソコンは、
プログラムのバージョンアップ及びダウンロードを、前記衛星通信アダプタ装置に指示制御することを特徴とする請求項１又は請求項２記載の衛星通信アダプタ装置。
【請求項４】
前記衛星通信アダプタ装置は、
前記パソコンとＲＳ−２３２Ｃケーブルで接続するためのＲＳ−２３２Ｃコネクタ及び衛星通信アダプタ装置接続ケーブルで前記衛星電話装置と接続するための衛星電話装置インターフェースコネクタを有していることを特徴とする請求項２又は請求項３記載の衛星通信アダプタ装置。
【請求項５】
前記衛星通信アダプタ装置は、
前記パソコンとの接続インターフェース機能を持ち、ＲＳ−２３２Ｃインターフェースを有するＤＴＥインターフェース部と、前記衛星電話装置とデータ送受信を行う回線インターフェース部と、プログラムの記憶と読出しを行うＲＯＭ（Ｒｅａｄ  Ｏｎｌｙ  Ｍｅｍｏｒｙ）と、このＲＯＭのプログラムを一時退避させるＲＡＭ（Ｒａｎｄｕｍ  Ａｃｃｅｓｓ  Ｍｅｍｏｒｙ）と、これらＲＯＭ、ＲＡＭ並びに全体を制御する制御部とを備えたことを特徴とする請求項２記載の衛星通信アダプタ装置。
【請求項６】
前記制御部は、
待ち受け時に前記回線インターフェース部より出力されている信号を、前記回線インターフェース部に接続された前記折り返しコネクタで折り返し、前記回線インターフェース部に入力させ、この折り返し入力した信号を制御し、前記回線インターフェース部から出力された信号と同じ信号が前記回線インターフェース部に入力されたことを認識し、プログラムダウンロードモードへ移行することを特徴とする請求項５記載の衛星通信アダプタ装置。
【請求項７】
前記制御部は、
プログラムダウンロードモードへ移行すると、前記ＲＯＭの中身のプログラムを前記ＲＡＭに退避させ、その後、前記パソコンからのダウンロードデータを、前記ＤＴＥインターフェース部経由で前記ＲＯＭに書き込むことにより、プログラムのバージョンアップを行うことを特徴とする請求項５記載の衛星通信アダプタ装置。
【発明の詳細な説明】
【技術分野】
【０００１】
本発明は衛星通信アダプタ装置に関し、特にパソコンと衛星電話装置を使用してデータ通信を行い、パソコンから衛星通信アダプタ装置のプログラムのバージョンアップ並びにダウンロードを行う衛星通信アダプタ装置に関する。
【背景技術】
【０００２】
一般に、外部から装置のプログラムをバージョンアップするために新しいプログラムをダウンロードすることは、装置のメンテナンスを行う上で必須の処理である。
【０００３】
図４は従来の衛星通信アダプタ装置を示すブロック図である。
【０００４】
図４は、外部モジュール３４（外部メモリ）を使用した装置３０のプログラムダウンロードの例であって、装置３０は、外部モジュール３４とインターフェースを行う制御インターフェース部３２と、プログラムダウンロードやプログラムの実行を行うＣＰＵ３１と、プログラムを格納するＲＯＭ３３とから構成されている。
【０００５】
この方法では、外部モジュール３４が必要なため、外部モジュール３４の接続の有無を検出するモジュール検出回路が必要である。また、装置３０内のアドレスバスやデータバスを解放するために、ＣＰＵ３１をＨＯＬＤさせる回路が必要である。
【０００６】
なお、これ以外に装置３０のプリント基板自体に２ピンのコネクタを実装させ、これらのピンをシュートさせることによりプログラムダウンロードモードに移行する方法も考えられる。
【０００７】
しかしながら、これらの方法では部品と実装のコストがかかり、装置の小型化をするためにも解決しなければならない問題がある。
【０００８】
従来の衛星通信アダプタ装置は、衛星からバージョンアップした衛星通信端末のプログラムデータを受信することにより、プログラムのバージョンアップを行っている（例えば、特許文献１参照。）。
【０００９】
また、試験診断プログラムを実行するとき、回線アダプタに外部折り返しコネクタが装着されているか否かを自動的にチェックし、装着が確認されると外部折り返し試験を実施し、装着されていないと内部折り返しモードの試験を実施しているものもある（例えば、特許文献２参照。）。
【００１０】
【特許文献１】特開平６−２６１０９３号公報（第２頁、図１）
【００１１】
【特許文献２】特開昭６１−２１２１４６号公報（第４−５頁、図１）
【発明の開示】
【発明が解決しようとする課題】
【００１２】
上述した従来の衛星通信アダプタ装置は、外部モジュール（外部メモリ）を使用したり、プリント基板自体に２ピンのコネクタを実装することでプログラムダウンロードモードへ移行するために、ダウンロードモードへ移行したことを検出する検出回路が必要になるという欠点を有している。
【００１３】
また、ダウンロードモード移行検出回路が必要になるので、装置が大型化するという欠点を有している。
【００１４】
さらにまた、ダウンロードモード移行検出回路のことを考慮して装置を設計する必要があるので、設計が煩雑になるという欠点を有している。
【００１５】
本発明の目的は、プログラムダウンロードモードへ移行したことを検出する検出回路を不要にすることで、装置の小型化・軽量化を図り、ダウンロードモード移行検出回路のことを一切考えずに装置を設計でき、部品と実装のコストが削減できる衛星通信アダプタ装置を提供することにある。
【課題を解決するための手段】
【００１６】
本発明の第１の衛星通信アダプタ装置は、
パソコンと衛星電話装置を使用してデータ通信を行う衛星通信アダプタ装置であって、前記パソコンから前記衛星通信アダプタ装置のプログラムのバージョンアップ及びダウンロードを行う場合、前記衛星電話装置を接続する側のコネクタの２本の線を折り返すことで、プログラムダウンロードモードへ移行することを特徴としている。
【００１７】
本発明の第２の衛星通信アダプタ装置は、
データ通信を行うパソコンと、このパソコンと接続し前記パソコンから制御されることにより発着信の起動及びデータ送受信を行う衛星通信アダプタ装置と、この衛星通信アダプタ装置と接続し衛星とのデータ通信を行う衛星電話装置とから成り、
前記パソコンから前記衛星通信アダプタ装置のプログラムのバージョンアップ及びダウンロードを行う場合、前記衛星電話装置を接続する側に折り返しコネクタを接続し、この折り返しコネクタの２本の線を折り返すことでプログラムダウンロードモードへ移行することを備えたことを特徴としている。
【００１８】
本発明の第３の衛星通信アダプタ装置は、前記第１または第２の衛星通信アダプタ装置において、
前記パソコンは、
プログラムのバージョンアップ及びダウンロードを、前記衛星通信アダプタ装置に指示制御することを特徴としている。
【００１９】
本発明の第４の衛星通信アダプタ装置は、前記第２または第３の衛星通信アダプタ装置において、
前記衛星通信アダプタ装置は、
前記パソコンとＲＳ−２３２Ｃケーブルで接続するためのＲＳ−２３２Ｃコネクタ及び衛星通信アダプタ装置接続ケーブルで前記衛星電話装置と接続するための衛星電話装置インターフェースコネクタを有していることを特徴としている。
【００２０】
本発明の第５の衛星通信アダプタ装置は、前記第２の衛星通信アダプタ装置において、
前記衛星通信アダプタ装置は、
前記パソコンとの接続インターフェース機能を持ち、ＲＳ−２３２Ｃインターフェースを有するＤＴＥインターフェース部と、前記衛星電話装置とデータ送受信を行う回線インターフェース部と、プログラムの記憶と読出しを行うＲＯＭ（Ｒｅａｄ  Ｏｎｌｙ  Ｍｅｍｏｒｙ）と、このＲＯＭのプログラムを一時退避させるＲＡＭ（Ｒａｎｄｏｍ  Ａｃｃｅｓｓ  Ｍｅｍｏｒｙ）と、これらＲＯＭ、ＲＡＭ並びに全体を制御する制御部とを備えていることを特徴としている。
【００２１】
本発明の第６の衛星通信アダプタ装置は、前記第５の衛星通信アダプタ装置において、
前記制御部は、
待ち受け時に前記回線インターフェース部より出力されている信号を、前記回線インターフェース部に接続された前記折り返しコネクタで折り返し、前記回線インターフェース部に入力させ、この折り返し入力した信号を制御し、前記回線インターフェース部から出力された信号と同じ信号が前記回線インターフェース部に入力されたことを認識し、プログラムダウンロードモードへ移行することを特徴としている。
【００２２】
本発明の第７の衛星通信アダプタ装置は、前記第５の衛星通信アダプタ装置において、
前記制御部は、
プログラムダウンロードモードへ移行すると、前記ＲＯＭの中身のプログラムを前記ＲＡＭに退避させ、その後、前記パソコンからのダウンロードデータを、前記ＤＴＥインターフェース部経由で前記ＲＯＭに書き込むことにより、プログラムのバージョンアップを行うことを特徴としている。
【発明の効果】
【００２３】
本発明の衛星通信アダプタ装置は、従来にみられるように、外部モジュール（外部メモリ）を使用したり、プリント基板自体に２ピンのコネクタを実装したりしてプログラムダウンロードモードへ移行したことを検出する検出回路を不要にすることができるので、装置の小型化・軽量化を図ることができるという効果を有している。
【００２４】
また、ダウンロードモード移行検出回路のことを一切考えずに装置を設計でき、部品と実装のコストが削減できるという効果を有している。
【発明を実施するための最良の形態】
【００２５】
次に、本発明の実施の形態について図面を参照して説明する。
【００２６】
図１は本発明の衛星通信アダプタ装置の一つの実施の形態を示すブロック図である。
【００２７】
図１に示す本実施の形態は、データ通信を行うパソコン１と、このパソコン１と接続しパソコン１から制御されることにより、発着信の起動およびデータ送受信を行う衛星通信アダプタ装置２と、この衛星通信アダプタ装置２と接続し衛星とのデータ通信を行う衛星電話装置３とから構成されている。
【００２８】
パソコン１はプログラムのバージョンアップやダウンロードを衛星通信アダプタ装置２に指示制御する。衛星通信アダプタ装置２は、パソコン１と衛星電話装置３を使用してデータ通信を行う。このため、パソコン１とＲＳ−２３２Ｃケーブルで接続するためのＲＳ−２３２Ｃコネクタと、衛星通信アダプタ装置接続ケーブルで衛星電話装置３と接続するための衛星電話装置インターフェースコネクタを有している。
【００２９】
衛星通信アダプタ装置２は、パソコン１と接続されパソコン１から制御されることにより、発着信の起動およびデータ送受信を行う。また、衛星通信アダプタ装置２は衛星電話装置３に接続され、インターネットのアクセスポイント等に接続される。
【００３０】
図２は図１の衛星通信アダプタ装置の一例を示す詳細ブロック図である。
【００３１】
なお、図２において図１に示す構成要素に対応するものは同一の参照数字または符号を付し、その説明を省略する。
【００３２】
次に、図２を用いて衛星通信アダプタ装置内部の構成を説明する。
【００３３】
衛星通信アダプタ装置２は、パソコン１との接続インターフェース機能を持ち、ＲＳ−２３２Ｃインターフェースを有するＤＴＥインターフェース部２１と、衛星電話装置３とデータ送受信を行う回線インターフェース部２３と、プログラムの記憶と読出しを行うＲＯＭ２４と、ＲＯＭ２４のプログラムを一時退避させるＲＡＭ２５と、これらＲＯＭ２４、ＲＡＭ２５並びに全体を制御する制御部２２とから構成される。
【００３４】
図３は本発明の衛星通信アダプタ装置によるプログラムダウンロードモードの動作を説明するブロック図である。
【００３５】
なお、図３において図２に示す構成要素に対応するものは同一の参照数字または符号を付し、その説明を省略する。
【００３６】
図３を参照すると、プログラムダウンロードモードへ移行するために、衛星電話装置３に接続する側のコネクタの２本の線を折り返した実施例を示している。通常のデータ通信に使用する図２の回線インターフェース部２３に、衛星電話装置３の替りに折り返しコネクタ２７を接続したものである。
【００３７】
次に、図１および図３を参照して、図１に示すインターフェースを有した衛星通信アダプタ装置２を使用し、プログラムダウンロードモードへ移行するための動作についてより詳細に説明する。
【００３８】
回線インターフェース部２３に折り返しコネクタ２７を接続する。通常の待ち受け時にも回線インターフェース部２３より信号が出力されているので、この信号を折り返しコネクタ２７で折り返し、回線インターフェース部２３に入力させる。折り返し入力した信号を制御する制御部２２は、回線インターフェース２３から出力された信号と同じ信号が回線インターフェース２３に入力されたことを認識し、プログラムダウンロードモードへ移行する。
【００３９】
プログラムダウンロードモードへ移行すると、制御部２２はＲＯＭ２４の中身のプログラムを一度ＲＡＭ２５に退避させる。その後、制御部２２はパソコン１からのダウンロードデータを、ＤＴＥインターフェース部２１経由でＲＯＭ２４に書き込むことになる。この動作により、新しいプログラムのバージョンアップが実行される。
【００４０】
なお、ここでは衛星通信アダプタ装置２について示したが、特に衛星通信アダプタ装置２に限定されるものではなく、外部装置に接続するための接続インターフェースを有している装置であれば実現可能である。
【００４１】
上述の通り、パソコン１と衛星電話装置３を使用してデータ通信を行う衛星通信アダプタ装置２において、パソコン１から衛星通信アダプタ装置２のプログラムをバージョンアップしたりダウンロードしたりする場合、衛星電話装置３を接続する側のコネクタの２本の線を折り返すだけでプログラムダウンロードモードへ移行することができる。
【００４２】
また、プログラムダウンロードモードに移行するための検出回路を不要とし、検出回路を衛星通信アダプタ装置２のプリント基板上に必要としない。
【００４３】
このように、本発明ではメンテナンス上必要とする外部からのプログラムのバージョンアップやダウンロードへ移行するための回路のことを一切考えずに設計することができ、設計上の自由度を有している。
【図面の簡単な説明】
【００４４】
【図１】本発明の衛星通信アダプタ装置の一つの実施の形態を示すブロック図である。
【図２】図１の衛星通信アダプタ装置の一例を示す詳細ブロック図である。
【図３】本発明の衛星通信アダプタ装置によるプログラムダウンロードモードの動作を説明するブロック図である。
【図４】従来の衛星通信アダプタ装置を示すブロック図である。
【符号の説明】
【００４５】
１    パソコン
２    衛星通信アダプタ装置
３    衛星電話装置
２１    ＤＴＥインターフェース部
２２    制御部
２３    回線インターフェース部
２４    ＲＯＭ
２５    ＲＡＭ
２７    折り返しコネクタ
３０    装置
３１    ＣＰＵ
３２    制御インターフェース部
３３    ＲＯＭ
３４    外部モジュール
【図１】
2005032131.tif 000003
【図２】
2005032131.tif 000004
【図３】
2005032131.tif 000005
【図４】
2005032131.tif 000006